(57)【要約】【課題】ユーザー側の希望価格等を基に製造メーカ側が作成した製造仕様情報を提供可能にしてユーザー側の製品設計段階において製造原価様等の目安を情報として得ることが可能にする。【解決手段】ユーザーによって入力された希望価格または希望価格に希望条件を付加した情報を登録および管理する見積情報データベース２３と、見積情報データベースから得られた情報を基に製造メーカによって作成され、かつ入力された製造仕様を登録および管理する製造仕様情報データベース２４と、製造仕様データベースから得られた情報がユーザーの希望と合致する場合に、ユーザーによって入力された発注情報を登録および管理する発注情報データベース２５とから構成されている。【選択図】  図１
2004265201.tif 000002
【特許請求の範囲】
【請求項１】
ユーザーからのアクセスにより入力された所定情報の登録および管理を行うユーザー登録データベースと、
製造メーカからのアクセスにより入力された所定情報の登録および管理を行う製造メーカ登録データベースと、
ユーザーによって入力された希望価格または希望価格に希望条件を付加した情報を登録および管理する見積情報データベースと、
前記見積情報データベースから得られた情報を基に製造メーカによって作成され、かつ入力された製造仕様を登録および管理する製造仕様情報データベースと、
前記製造仕様データベースから得られた情報がユーザーの希望と合致する場合に、ユーザーによって入力された発注情報を登録および管理する発注情報データベースとから構成されていることを特徴とする製造仕様情報システム。
【請求項２】
前記製造メーカは、前記製造メーカ登録データベースへの入力に際して、当該製造メーカに固有の特徴と合致する特徴が表示されたカテゴリーを選択して指定するとともに、前記見積情報データベースへ入力するユーザーは、該入力情報に応じて前記カテゴリーのいずれかに振り分けられ、かつ該カテゴリーに属する製造メーカが前記製造仕様情報データを作成することを特徴とする請求項１記載の製造仕様情報システム。
【発明の詳細な説明】
【０００１】
【発明の属する技術分野】
本発明は、ウエブネットを利用してのユーザーによる製品製作単価の見積りおよび発注に際して、ユーザーからの希望価格等の管理等を行うとともに、製造メーカの作成による製造仕様の情報公開等の管理等を行うことにより、ユーザーと製造メーカとの間に立って媒介的な役割を果たす製造仕様情報システムに関する。
【０００２】
【従来の技術】
ウエブネットを利用したユーザーによる製品製作単価の見積りに際して、従来は製造メーカからの情報を得ることなく、まずユーザーが詳細に希望製造仕様を作成していた（例えば、特許文献１参照）。製造メーカはユーザーから入力提示された希望製造仕様に基づき価格を提示していた。
【０００３】
【特許文献１】
特開平１０−３０１９８５号公報
【０００４】
【発明が解決しようとする課題】
しかしながら、従来はまずウエブネットを利用するユーザーが詳細に製造仕様を作成する必要があったため、プリント配線板の設計者等で、プリント配線板の製造仕様に関する知識が乏しいユーザーの場合には、製品設計の段階において、希望の予算の枠内でどの程度の仕様まで製作可能であるのか等、製造原価の把握や仕様等の目安が得られなかった。
【０００５】
本発明は、上記問題点に着目してなされたもので、その目的とするところは、詳細な製造仕様はユーザーではなく、製造メーカが作成するとするシステムを構築することにより、ユーザーが製品設計段階において製造原価や希望予算に適合する製造仕様等の目安を情報として得ることができる製造仕様情報システムを提供することにある。
【０００６】
【課題を解決するための手段】
上記目的を達成するため、本発明は、ユーザーからのアクセスにより入力された所定情報の登録および管理を行うユーザー登録データベースと、製造メーカからのアクセスにより入力された所定情報の登録および管理を行う製造メーカ登録データベースと、ユーザーによって入力された希望価格または希望価格に希望条件を付加した情報を登録および管理する見積情報データベースと、前記見積情報データベースから得られた情報を基に製造メーカによって作成され、かつ入力された製造仕様を登録および管理する製造仕様情報データベースと、前記製造仕様データベースから得られた情報がユーザーの希望と合致する場合に、ユーザーによって入力された発注情報を登録および管理する発注情報データベースとから構成されている。
【０００７】
従って、本発明は、従来のようにユーザー側の希望製造仕様に対する製造メーカ側の価格提示の情報公開を行うのではなく、ユーザー側の希望価格等を基に製造メーカ側が作成した製造仕様情報が提供されるため、ユーザー側の製品設計段階において製造原価や希望予算に適合する製造仕様等の目安を情報として得ることができる。
【０００８】
また、本発明は、前記製造メーカは、前記製造メーカ登録データベースへの入力に際して、当該製造メーカに固有の特徴と合致する特徴が表示されたカテゴリーを選択して指定するとともに、前記見積情報データベースへ入力するユーザーは、該入力情報に応じて前記カテゴリーのいずれかに振り分けられ、かつ該カテゴリーに属する製造メーカが前記製造仕様情報データを作成することが考えられる。
【０００９】
従って、本発明は、製造メーカはそれに固有の特徴に合致するユーザーをより正確かつ迅速にピックアップすることが可能となる。
【００１０】
【発明の実施の形態】
以下、本発明に係る製造仕様情報システムの実施形態を、図面を参照しながら説明する。
【００１１】
図１において、１はユーザー、２０はウエブネットを利用した製造仕様情報システム、５０は製造メーカを、それぞれ示す。
【００１２】
ユーザー１としては、例えばプリント配線板の設計者等であってプリント配線板の製造仕様に関する知識の乏しい者が、また製造メーカ５０としては、例えばプリント配線板の製造メーカが、それぞれ想定される。ユーザー１および製造メーカ５０は、それぞれ保有のパソコン１ａ、１ｂ、１ｃ‥；５０ａ、５０ｂ、５０ｃ‥により製造仕様情報システム２０にアクセスすることが可能である。
【００１３】
製造仕様情報システム２０は、ユーザー１により入力される所定の情報を登録および管理するユーザー登録データベース（ＤＢ）２１と、製造メーカにより入力される所定の情報を登録および管理する製造メーカ登録データベース（ＤＢ）２２と、ユーザー１により入力される希望価格または簡単な仕様を登録および管理する見積情報データベース（ＤＢ）２３と、見積情報データベース（ＤＢ）２３から得られた情報を基に製造メーカにより作成されたプリント配線板の製造仕様を登録および管理する製造仕様情報データベース（ＤＢ）２４と、ユーザーから発注された情報を登録および管理する発注情報データベース（ＤＢ）２５とから構成されている。
【００１４】
図２は製造仕様情報システム２０におけるユーザー１側からの情報の流れを示す。ユーザー１は、まずウエブネット上で製造仕様情報システム２０にアクセスしてユーザーに固有の情報等に関する所定の情報を入力する（Ｓ１）。この情報はユーザー登録データベース２１で登録および管理される（Ｓ２）。
【００１５】
登録されたユーザー１は入力画面に従い、希望価格または希望価格に簡単な基本仕様、納期、数量等の希望条件を付加した情報を入力する（Ｓ３）。ここに簡単な基本仕様とは、基板の層数、スルーホール製法種別、パターン密度、板厚等のことである。
【００１６】
この希望価格や希望条件は見積データベース２３で登録および管理される（Ｓ４）。その際、ユーザーは見積データベース２３において、希望価格や希望条件を充足可能な製造メーカが属するカテゴリーに振り分けられる。
【００１７】
図３は製造仕様情報システム２０における製造メーカ５０側からの情報の流れを示す。製造メーカ５０は、まずウエブネット上で製造仕様情報システムにアクセスして製造メーカに固有の情報等に関する所定の情報を入力する（Ｓ１）。この情報は製造メーカ登録データベース２２で登録および管理される（Ｓ２）。
【００１８】
その際、図４に示すように、その製造メーカ５０に該当すると考えられる項目に対応する項目が表示されたカテゴリーを選択して指定する（Ｓ３）。
【００１９】
カテゴリーには、小ロット対応、量産対応、高多層対応、試作対応等の製造メーカが得意とする製造仕様、量産対応能力や製造コストの目安等の項目が表示されている。
【００２０】
カテゴリーが選択されない場合、すなわちカテゴリーの選択が未入力の場合には、該当カテゴリーがないか、あるいは全カテゴリーに対応できるものとみなして製造仕様情報システム上で自動的に選択され、任意のカテゴリーに振り分けられる。
【００２１】
製造メーカは見積情報データベース２３からユーザー側の情報を得たい場合には、製造仕様情報システム２０にアクセスし、自己が指定したカテゴリーに登録されたユーザー側からの希望価格や希望条件に関する情報を得る（Ｓ４）。
【００２２】
ユーザー側からの情報を得た製造メーカは製造仕様を作成し、この製造仕様を入力画面に従って入力する（Ｓ５）。その際、製造メーカはノウハウ等自社独自の仕様を織り込んで入力し、あらゆる仕様に対してどこまで対処できるかどうか、またコストパフォーマンスのある提案等、情報を提供する。
【００２３】
なお、同一カテゴリーには一社ないし二社以上の製造メーカが登録される。そのため二社以上の製造メーカが登録されている場合には、ユーザーは複数の製造仕様に関する情報を得ることができる。
【００２４】
製造メーカから入力された製造仕様は、製造仕様情報データベース２４で登録および管理される（Ｓ６）。ユーザーは製造仕様情報データベース２４で登録されている情報が希望の仕様に合致する場合には入力画面に従って発注を行う。こうしてユーザーから入力された発注情報は発注情報データベース２５で登録および管理される。
【００２５】
製造メーカ５０は発注情報データベース２５から得た発注情報を基にユーザーとの間で直接取引きを行う。
【００２６】
【発明の効果】
本発明は、従来のようにユーザー側の希望製造仕様に対する製造メーカ側の価格提示の情報公開を行うのではなく、ユーザー側の希望価格等を基に製造メーカ側が作成した製造仕様情報が提供されるため、ユーザー側の製品設計段階において製造原価や希望予算に適合する製造仕様等の目安を情報として得ることができる。
【図面の簡単な説明】
【図１】本発明に係る製造仕様情報システムの構成図である。
【図２】同じく、製造仕様情報システムのユーザー側からの情報の流れを示すフロー図である。
【図３】同じく、製造仕様情報システムの製造メーカ側からの情報の流れを示すフロー図である。
【図４】同じく、製造仕様情報システムの製造メーカが選択するカテゴリー選択フロー図である。
【符号の簡単な説明】
１  ユーザー
２０  製造仕様情報システム
２１  ユーザー登録データベース
２２  製造メーカ登録データベース
２３  見積情報データベース
２４  製造仕様情報データベース
２５  発注情報データベース
５０  製造メーカ
【図１】
2004265201.tif 000003
【図２】
2004265201.tif 000004
【図３】
2004265201.tif 000005
【図４】
2004265201.tif 000006